(57)【要約】【課題】  耐久性、整流性、消音性が高く、蒸気等へも対応可能な配管を提供する。【解決手段】  蛇腹状のベローズ２と、ベローズ２の内方にベローズ２を覆うように配置され、複数の孔３が設けられた多孔管４と、多孔管４をベローズ２の上流側で支持する第１支持部材５とを有し、ベローズ２と多孔管４との間の空間の層厚を所定層厚とし、多孔管４の厚さを所定厚さとして、ベローズ２と多孔管４との間の空間を、所望の周波数帯域を消音するヘルムホルツ共鳴器とした配管。【選択図】  図１
2006144557.tif 000002
【特許請求の範囲】
【請求項１】
円管に設けた蛇腹状のベローズと、前記ベローズの内方に前記ベローズを覆うように配置され、複数の孔が設けられた多孔管と、前記多孔管を前記ベローズの上流側の円管に支持する第１支持部材とを有し、
前記ベローズと前記多孔管との間の空間の層厚を所定層厚とし、前記多孔管の厚さを所定厚さとして、前記空間を、所望の周波数帯域を消音するヘルムホルツ共鳴器としたことを特徴とする配管。
【請求項２】
請求項１記載の配管において、
前記多孔管を、熱膨張率の大きい材料で形成すると共に、
前記多孔管を前記ベローズの下流側の円管に支持する第２支持部材を設けたことを特徴とする配管。
【請求項３】
請求項２記載の配管において、
円管に設けた蛇腹状のベローズと、前記ベローズの内方に前記ベローズを覆うように配置され、複数の孔が設けられた多孔管と、前記多孔管を前記ベローズの上流側の円管に支持し、前記円管の内壁面から前記多孔管の内壁面まで所定角度にて流路を狭める第１整流部材と、前記多孔管を前記ベローズの下流側の円管に支持し、前記多孔管の内壁面から前記円管の内壁面まで所定角度にて流路を拡げる第２整流部材とを有し、
前記ベローズと前記多孔管との間の空間の層厚を所定層厚とし、前記多孔管の厚さを所定厚さとして、前記空間を、所望の周波数帯域を消音するヘルムホルツ共鳴器としたことを特徴とする配管。
【請求項４】
複数の孔を設けた多孔部を有する円管と、前記多孔部の外方に前記多孔部を内包するように取り付けた円筒管とを有し、
前記多孔部と前記円筒管との間の空間の層厚を所定層厚とし、前記多孔部の厚さを所定厚さとして、前記空間を、所望の周波数帯域を消音するヘルムホルツ共鳴器としたことを特徴とする配管。
【請求項５】
請求項４記載の配管において、
前記多孔部と前記円筒管との間の空間に、前記空間を分離する分離壁を設けたことを特徴とする配管。
【請求項６】
請求項５記載の配管において、
前記分離壁に複数の連通孔を設けたことを特徴とする配管。
【請求項７】
請求項１乃至請求項６のいずれかに記載の配管において、
前記多孔管又は前記多孔部の外方表面に、前記多孔管又は前記多孔部の軸方向にリブを設けたことを特徴とする配管。
【請求項８】
請求項１乃至請求項６のいずれかに記載の配管において、
前記多孔管又は前記多孔部の外方表面に、前記多孔管又は前記多孔部の周方向にリブを設けたことを特徴とする配管。
【請求項９】
請求項８記載の配管において、
前記リブを、多孔管又は前記多孔部の軸方向に対して斜めに設け、傘状としたことを特徴とする配管。
【請求項１０】
円筒状に形成された管に、複数の孔を形成して多孔管又は多孔部とし、
リング形状のリブを、予め複数に分割して形成し、
前記多孔管又は前記多孔部の外方表面の周方向に、複数に分割された前記リブを取り付けて、リング状のリブとし、
前記多孔管又は前記多孔部の外方に、前記多孔管又は前記多孔部を内包するベローズ又は円筒管を取り付けることを特徴とする配管の製造方法。
【請求項１１】
平板に複数の孔を開けて多孔板とし、
前記多孔板の表面に垂直に、上記多孔板の一辺に平行な平板状のリブを形成し、
前記リブの長手方向に垂直な方向に、前記多孔板を曲げ加工をして、軸方向にリブを有する円筒状の多孔管又は多孔部とし、
前記多孔管又は前記多孔部の外方に、前記多孔管又は前記多孔部を内包するベローズ又は円筒管を取り付けることを特徴とする配管の製造方法。
【請求項１２】
円筒状に形成された管に、複数の孔を形成して多孔管又は多孔部とし、
リング形状に形成されたリブに前記多孔管又は前記多孔部を挿入し、前記リブと前記多孔管又は前記多孔部との間を焼き嵌めにて接合し、
前記多孔管又は前記多孔部の外方に、前記多孔管又は前記多孔部を内包するベローズ又は円筒管を取り付けることを特徴とする配管の製造方法。
【発明の詳細な説明】
【技術分野】
【０００１】
本発明は、配管及びその製造方法に関する。
【背景技術】
【０００２】
燃焼機関の排気管の配管として、燃焼機関の振動の伝達を防止するため、ベローズと呼ばれる蛇腹状の配管が使用されている。上記ベローズでは、耐久性、消音性等の特性も要求されており、例えば、流体の流れの乱れ防止や耐久性向上のため、流れをベローズに直接当てないような構造にしたり、騒音低減のため、ベローズの内側を二重管構造として、内管壁に孔を設け、ベローズとの空間をヘルムホルツ共鳴器としたり、振動吸収性能の確保のため、ベローズと二重管構造が接触しないような構造にしたりしている（特許文献１参照）。
【０００３】
【特許文献１】特開平０９−２８００４１号公報
【発明の開示】
【発明が解決しようとする課題】
【０００４】
上述したような従来の配管においては、ベローズの内方に設けた二重管の構造的強度が低く、タービン等の回転数と共振するおそれがあり、又、二重管下流で発生する剥離流や逆流を抑制する必要性もあった。又、消音性としては、単一の周波数しか消音することができなかった。更に、燃焼機関の排気管のみならず、蒸気等の高温の流体への対応も求められていた。
【０００５】
本発明は上記課題に鑑みなされたもので、耐久性、整流性、消音性が高く、蒸気等へも対応可能な配管を提供することを目的とする。
【課題を解決するための手段】
【０００６】
上記課題を解決する第１の発明に係る配管は、
円管に設けた蛇腹状のベローズと、前記ベローズの内方に前記ベローズを覆うように配置され、複数の孔が設けられた多孔管と、前記多孔管を前記ベローズの上流側の円管に支持する第１支持部材とを有し、
前記ベローズと前記多孔管との間の空間の層厚を所定層厚とし、前記多孔管の厚さを所定厚さとして、前記空間を、所望の周波数帯域を消音するヘルムホルツ共鳴器としたことを特徴とする。
【０００７】
上記課題を解決する第２の発明に係る配管は、
第１の発明に係る配管において、
前記多孔管を、熱膨張率の大きい材料で形成すると共に、
前記多孔管を前記ベローズの下流側の円管に支持する第２支持部材を設けたことを特徴とする。
【０００８】
上記課題を解決する第３の発明に係る配管は、
円管に設けた蛇腹状のベローズと、前記ベローズの内方に前記ベローズを覆うように配置され、複数の孔が設けられた多孔管と、前記多孔管を前記ベローズの上流側の円管に支持し、前記円管の内壁面から前記多孔管の内壁面まで所定角度にて流路を狭める第１整流部材と、前記多孔管を前記ベローズの下流側の円管に支持し、前記多孔管の内壁面から前記円管の内壁面まで所定角度にて流路を拡げる第２整流部材とを有し、
前記ベローズと前記多孔管との間の空間の層厚を所定層厚とし、前記多孔管の厚さを所定厚さとして、前記空間を、所望の周波数帯域を消音するヘルムホルツ共鳴器としたことを特徴とする。
【０００９】
上記課題を解決する第４の発明に係る配管は、
複数の孔を設けた多孔部を有する円管と、前記多孔部の外方に前記多孔部を内包するように取り付けた円筒管とを有し、
前記多孔部と前記円筒管との間の空間の層厚を所定層厚とし、前記多孔部の厚さを所定厚さとして、前記空間を、所望の周波数帯域を消音するヘルムホルツ共鳴器としたことを特徴とする。
【００１０】
上記課題を解決する第５の発明に係る配管は、
第４の発明に係る配管において、
前記多孔部と前記円筒管との間の空間に、前記空間を分離する分離壁を設けたことを特徴とする。
【００１１】
上記課題を解決する第６の発明に係る配管は、
第５の発明に係る配管において、
前記分離壁に複数の連通孔を設けたことを特徴とする。
【００１２】
上記課題を解決する第７の発明に係る配管は、
第１〜第６の発明に係る配管において、
前記多孔管又は前記多孔部の外方表面に、前記多孔管又は前記多孔部の軸方向にリブを設けたことを特徴とする。
【００１３】
上記課題を解決する第８の発明に係る配管は、
第１〜第６の発明に係る配管において、
前記多孔管又は前記多孔部の外方表面に、前記多孔管又は前記多孔部の周方向にリブを設けたことを特徴とする。
【００１４】
上記課題を解決する第９の発明に係る配管は、
第８の発明に係る配管において、
前記リブを、多孔管又は前記多孔部の軸方向に対して斜めに設け、傘状としたことを特徴とする。
上記構成の配管においては、配管を鉛直に設置することで、凝縮した蒸気がリブに沿って、鉛直下方へ排出される。
【００１５】
上記課題を解決する第１０の発明に係る配管の製造方法は、
円筒状に形成された管に、複数の孔を形成して多孔管又は多孔部とし、
リング形状のリブを、予め複数に分割して形成し、
前記多孔管又は前記多孔部の外方表面の周方向に、複数に分割された前記リブを取り付けて、リング状のリブとし、
前記多孔管又は前記多孔部の外方に、前記多孔管又は前記多孔部を内包するベローズ又は円筒管を取り付けることを特徴とする。
【００１６】
上記課題を解決する第１１の発明に係る配管の製造方法は、
平板に複数の孔を開けて多孔板とし、
前記多孔板の表面に垂直に、上記多孔板の一辺に平行な平板状のリブを形成し、
前記リブの長手方向に垂直な方向に、前記多孔板を曲げ加工をして、軸方向にリブを有する円筒状の多孔管又は多孔部とし、
前記多孔管又は前記多孔部の外方に、前記多孔管又は前記多孔部を内包するベローズ又は円筒管を取り付けることを特徴とする。
【００１７】
上記課題を解決する第１２の発明に係る配管の製造方法は、
円筒状に形成された管に、複数の孔を形成して多孔管又は多孔部とし、
リング形状に形成されたリブに前記多孔管又は前記多孔部を挿入し、前記リブと前記多孔管又は前記多孔部との間を焼き嵌めにて接合し、
前記多孔管又は前記多孔部の外方に、前記多孔管又は前記多孔部を内包するベローズ又は円筒管を取り付けることを特徴とする。
【発明の効果】
【００１８】
第１の発明によれば、ベローズの内方に多孔管を設け、ヘルムホルツ共鳴器としたので、ベローズ部分をサイレンサ化して、所望の周波数帯域を消音することができる。又、ベローズ部分にて、流体の圧力変動を吸収すると共に、配管に伝導する熱による熱応力を低減することができる。
【００１９】
第２の発明によれば、多孔管をベローズの上流側、下流側で支持したので、消音性、流体の圧力変動の吸収性を損なうことなく、多孔管の剛性を向上することができる。
【００２０】
第３の発明によれば、多孔管の上流側、下流側に整流部材を設けたので、多孔管上流での流体の乱れを抑制することができ、多孔管下流での流体の乱れ、剥離流、逆流を抑制することができる。
【００２１】
第４〜第６の発明によれば、多孔部を有する円管の外方に円筒管を設けたので、簡単な構成で、多孔部上流、下流での流体の乱れ、剥離流、逆流を抑制することができると共に、多孔部と円筒管との間の空間をサイレンサ化して、所望の周波数帯域を消音することができる。
【００２２】
第７、第８の発明によれば、多孔管又は多孔部の外方表面に、多孔管又は多孔部の軸方向又は周方向にリブを設けたので、多孔管又は多孔部の剛性を向上させることができる。
【００２３】
第９の発明によれば、多孔管又は多孔部の外方表面に、多孔管又は多孔部の周方向斜めに、傘状のリブを設けたので、多孔管又は多孔部の剛性を向上させることができ、又、リブが鉛直下方に向くように配管を設置すれば、リブ上に凝縮する流体の溜まりを防止して、排出することができる。
【００２４】
第１０の発明によれば、リング状のリブを予め分割した後、多孔管又は多孔部の周方向にリブを形成するので、作製時の溶接歪みを低減すると共に、多孔管又は多孔部の周方向の剛性確保することができる。
【００２５】
第１１の発明によれば、予め、平板上に平板状のリブを形成した後、平板を曲げ加工して、リブを軸方向とするので、作製時の溶接歪みを低減すると共に、多孔管又は多孔部の軸方向の剛性確保することができる。
【００２６】
第１２の発明によれば、焼き嵌めにて円筒状の多孔管又は多孔部にリング状のリブを接合するので、作製時の多孔管又は多孔部の歪みを低減すると共に、多孔管又は多孔部の剛性確保することができる。
【発明を実施するための最良の形態】
【００２７】
以降、図１〜図１２を参照して、本発明に係る配管及びその製造方法を説明する。
【実施例１】
【００２８】
図１は、本発明に係る配管の実施形態の一例を示す概略図である。
図１に示すように、本実施例の配管１は、円管に設けた蛇腹状のベローズ２と、ベローズ２の内方にベローズ２を覆うように配置され、複数の孔３が設けられた多孔管４と、多孔管４をベローズ２の上流側（図１中左側）の円管に支持する支持部材５（第１支持部材）とを有する。そして、ベローズ２と多孔管４との間の空間の層厚を所定層厚とすると共に、多孔管４の厚さ及び孔３の断面積を所定の値に設定することで（詳細は、後述の図７、８の説明を参照）、ベローズ２と多孔管４との間の空間に、所望の周波数帯域を消音可能なヘルムホルツ共鳴器が形成され、配管１内部の騒音を吸収するサイレンサとして機能する。
【００２９】
又、ベローズ２の部分では、配管１を流れる流体の圧力変動を吸収することができ、又、配管１に伝導する熱による熱応力を低減することができ、例えば、熱膨張による配管１の熱伸びを吸収することが可能である。又、例えば、２００℃〜４００℃の高温の蒸気が流れる場合には、多孔管４のと支持部材５側を鉛直上方とすることにより、多孔管４の下流の開口部分から、蒸気が凝縮した液体を排出することが可能である。なお、多孔管４は、例えば、炭素鋼等で形成する。
【実施例２】
【００３０】
図２は、本発明に係る配管の実施形態の他の一例を示す概略図である。
図２に示すように、本実施例の配管６は、支持部材７（第２支持部材）を設けた点が、実施例１と異なる部分である。従って、実施例１と同等の構成には同じ符号を付し、重複する説明は省略する。なお、以下に示す他の実施例においても、同等の構成には同じ符号を付し、重複する説明は省略している。
【００３１】
本実施例の配管６は、実施例１の配管１において、多孔管４をベローズ２の下流側（図２中右側）の円管に支持する支持部材７を設けたものである。従って、ベローズ２の内方に配置した多孔管４の上流側及び下流側をベローズ２の上流側及び下流側の円管の内壁面に固着して、消音性、流体の圧力変動の吸収性を損なうことなく、多孔管４の剛性を向上することができる。又、多孔管４を、熱膨張率の大きい材料で形成することで、熱延びによる応力を考慮したものとすることができ、熱膨張による配管６の熱伸びを吸収することが可能である。
【実施例３】
【００３２】
図３は、本発明に係る配管の実施形態の他の一例を示す概略図である。
図３に示すように、本実施例の配管８は、支持部材５、７に替わり、整流部材９、１０（第１、第２整流部材）を設けた点が、実施例１、２と異なる部分である。
【００３３】
本実施例の配管８は、実施例２の配管６において、支持部材５、７に替わりに、多孔管４をベローズ２の上流側（図３中左側）の円管に支持し、上流側の円管の内壁面から多孔管４の内壁面まで所定角度にて流路を狭める整流部材９（第１整流部材）と、多孔管４をベローズ２の下流側（図３中右側）の円管に支持し、多孔管４の内壁面から円管の内壁面まで所定角度にて流路を拡げる整流部材１０（第２整流部材）を設けたものである。なお、整流部材９、１０は、図１、２に示した支持部材５、７とは独立して設けるようにしてもよい。又、ベローズ２の下流において、剥離流をできるだけ低減するには、整流部材１０の角度をできるだけ緩やかにすることが望ましい。上記構成により、多孔管４の上流側では、所定の傾斜を持って、流体の流れが狭まり、多孔管４の下流側でも、所定の傾斜を持って、流体の流れが拡大するため、多孔管４の上流での流体の乱れを抑制することができ、又、多孔管４の下流での流体の乱れ、剥離流、逆流を抑制することができる。
【実施例４】
【００３４】
図４は、本発明に係る配管の実施形態の他の一例を示す概略図である。
図４に示すように、本実施例の配管１１は、複数の孔１３を設けた多孔部１４を有する円管１２と、多孔部１４の外方に多孔部１４を内包するように取り付けた円筒管１５とを有する。そして、多孔部１４と円筒管１５との間の空間の層厚を所定層厚とすると共に、多孔部１４の厚さ及び孔１３の断面積を所定の値に設定することで（後述の図７、８の説明を参照）、多孔部１４と円筒管１５との間の空間に、所望の周波数帯域を消音可能なヘルムホルツ共鳴器が形成されて、配管１１内部の騒音を吸収するサイレンサとして機能する。又、本実施例では、実施例３の構成と比較すると、簡単な構成で、多孔部１４に上流側、下流側での流体の乱れ、剥離流、逆流を抑制することができる。
【００３５】
本実施例の構成では、配管１１自体は、熱膨張による熱伸びを吸収することができないため、熱伸びが予想される場合には、別途ベローズを有する配管を直列に接続するようにして、熱伸びを吸収するようにする。又、円管１２全体若しくは多孔部１４の部分を、熱膨張率の大きい材料で形成することで、熱延びによる応力を考慮したものとし、更に、円筒管１５の部分をベローズとすることで、熱膨張による配管１１の熱伸びを吸収することが可能である。
【実施例５】
【００３６】
図５は、本発明に係る配管の実施形態の他の一例を示す概略図である。
図５に示すように、本実施例の配管１６は、分離壁１７を設けた点が、実施例４と異なる部分である。
【００３７】
本発明に係る配管では、消音特性を考慮した場合、多孔部１４の板厚を厚くできないため、多孔部１４の剛性が低い。そこで、本実施例では、多孔部１４と円筒管１５との間の空間に、空間を分離する分離壁１７を設けることで、多孔部１４を補強すると共に、多孔部１４と円筒管１５との間の空間に流入した流体が、円管１２側流出し難いようにしたものである。
【実施例６】
【００３８】
図６は、本発明に係る配管の実施形態の他の一例を示す概略図である。
図６に示すように、本実施例の配管１８は、連通孔１９を有する分離壁２０を設けた点が、実施例４、５と異なる部分である。
【００３９】
本実施例では、多孔部１４と円筒管１５との間の空間に、空間を分離する分離壁２０を設け、更に、分離壁２０に分離された空間を連通する連通孔１９を設けることで、多孔部１４と円筒管１５との間の空間に形成されるヘルムホルツ共鳴器の吸音特性を、所望の周波数帯域が消音可能なように、自由に設定することができる。
【００４０】
ここで、ヘルムホルツ共鳴器を、図７に示すヘルムホルツ共鳴器の原理図と共に数式を示して、説明を行う。
【００４１】
上記実施例１〜６の配管は、多孔管４又多孔部１４の板厚、孔３、１３の数（密度）、孔３、１３の径（断面積）、多孔管４又多孔部１４が形成する背後層（多孔管４とベローズ２との間の層、又は、多孔部１４と外壁間１５との間の層）の厚さ等を適切に設定することにより、所望の周波数帯域の消音が可能となり、特に、高い周波数（５００Hz〜２０００Hz）の吸音性能が向上する。
【００４２】
ここで、ヘルムホルツ共鳴器の原理図を参照すると、配管の途中に設けた容積Vの部分をヘルムホルツ共鳴器を形成する空間とみなすことができ、図７のような簡単な構成で表せる。そして、多孔管４又多孔部１４の背後層の厚さをLa、多孔管４又多孔部１４の板厚をLb、孔３、１３の断面積をSb、音速をｃ、配管の断面積をＳとすると、以下のようなヘルムホルツ共鳴器の基礎式を用いることにより、所望の吸音性能（消音性）を得ることができる。
【００４３】
【数１】
2006144557.tif 000003
【００４４】
具体的には、図８（ａ）、（ｂ）に示すように、多孔管４又多孔部１４の背後層の厚さLaを大きくすると吸音率が高くなり、多孔管４又多孔部１４の厚さLbが小さいほど、幅広い周波数帯域において、高い吸音率を得ることができる。
【実施例７】
【００４５】
図９は、本発明に係る配管の実施形態の他の一例を示す概略図である。
本発明に係る配管では、前述したように、消音特性を考慮した場合、多孔管４（又は多孔部１４）の板厚を厚くできないため、多孔管４（又は多孔部１４）の剛性が低い。本実施例では、図９に示すように、多孔管４（又は多孔部１４）の外方表面に、補強部材となるリブ２１を周方向に複数設けることにより、多孔管４（又は多孔部１４）自体の周方向の剛性を補強することができる。
【００４６】
上記周方向のリブ２１を作製する場合、図１２に示すように、円筒状に形成された管に複数の孔３（又は孔１３）を設けて多孔管４（又は多孔部１４）とし、リング形状のリブ２１を、予め複数の分割リブ２１ａに分割して形成し、多孔管４（又は多孔部１４）の外方表面の周方向に、複数に分割された分割リブ２１ａを溶接して取り付けることで、周方向にリング状のリブ２１を複数有する多孔管４（又は多孔部１４）とする。その後、多孔管４（又は多孔部１４）の外方に、多孔管４（又は多孔部１４）を内包するようにベローズ２又は円筒管１５を取り付けて、配管を構成する。上記作製方法により、リブ２１取り付け時の溶接歪みを低減することができる。なお、リブ２１の分割数はいくらでもよい。
【００４７】
又、周方向のリブ２１を作製する他の方法としては、円筒状に形成された管に複数の孔３（又は孔１３）を設けて多孔管４（又は多孔部１４）とし、リング形状に形成されたリブ２１に多孔管４（又は前記多孔部１４）を挿入し、リブ２１と多孔管４（又は多孔部１４）との間を焼き嵌めにて接合することで、周方向にリング状のリブ２１を複数有する多孔管４（又は多孔部１４）とする。その後、多孔管４（又は多孔部１４）の外方に、多孔管４（又は多孔部１４）を内包するようにベローズ２又は円筒管１５を取り付けて、配管を構成する。上記作製方法により、リブ２１取り付け時の歪みを低減することができる。
【実施例８】
【００４８】
図１０は、本発明に係る配管の実施形態の他の一例を示す概略図である。
図１０に示すように、本実施例では、周方向のリブ２１に替えて、軸方向のリブ２２を設けた点が、実施例７と異なる部分である。
【００４９】
本実施例では、図１０に示すように、多孔管４（又は多孔部１４）の外方表面に、補強部材となるリブ２２を軸方向に複数設けており、上記構成により、多孔管４（又は多孔部１４）自体の軸方向の剛性を補強することができる。
【００５０】
上記軸方向のリブ２２を作製する場合、平板に複数の孔３（又は孔１３）を開けて多孔板とし、多孔板の表面に垂直に、多孔板の一辺に平行な平板状のリブ２２を形成する。そして、リブ２２の長手方向に垂直な方向に、多孔板を曲げ加工をして、軸方向にリブ２２を複数有する円筒状の多孔管４（又は多孔部１４）とする。その後、多孔管４（又は多孔部１４）の外方に、多孔管４（又は多孔部１４）を内包するようにベローズ２又は円筒管１５を取り付けて、配管を構成する。上記作製方法により、リブ２２取り付け時の溶接歪みを低減することができる。
【実施例９】
【００５１】
図１１は、本発明に係る配管の実施形態の他の一例を示す概略図である。
図１１に示すように、本実施例では、周方向のリブ２１に替えて、周方向に傘状となるリブ２３を設けた点が、実施例７と異なる部分である。
【００５２】
本実施例では、図１１に示すように、多孔管４（又は多孔部１４）の外方表面に、補強部材となるリブ２３を周方向に複数設けており、更に、リブ２３が、多孔管４（又は多孔部１４）の軸方向に対して所定角度を持って斜めに設けられており、例えるなら、傘状に形成されている。上記構成により、実施例７と同様に、多孔管４（又は多孔部１４）自体の剛性を補強することができる。又、上記構成の配管を鉛直方向に設置し、傘状のリブ２３を多孔管４（又は多孔部１４）の壁面に対して、鉛直斜め下方向き方向に設置すれば、つまり、リブ２３の末広がり部分を鉛直下方側に配置すれば、蒸気等の流体が凝縮した場合、凝縮流体がリブ２３に沿って、鉛直下方へ排出され、リブ２３での凝縮流体の滞留を防止することができる。
【産業上の利用可能性】
【００５３】
本発明に係る配管は、燃焼機関の排気管に限らず、様々な装置の配管に適用できるものであり、特に、蒸気等の高温流体が流れる蒸気タービンの蒸気配管として好適なものである。
【図面の簡単な説明】
【００５４】
【図１】本発明に係る配管の実施形態の一例（実施例１）を示す概略図である。
【図２】本発明に係る配管の実施形態の他の一例（実施例２）を示す概略図である。
【図３】本発明に係る配管の実施形態の他の一例（実施例３）を示す概略図である。
【図４】本発明に係る配管の実施形態の他の一例（実施例４）を示す概略図である。
【図５】本発明に係る配管の実施形態の他の一例（実施例５）を示す概略図である。
【図６】本発明に係る配管の実施形態の他の一例（実施例６）を示す概略図である。
【図７】本発明におけるヘルムホルツ共鳴器を説明する図である。
【図８】本発明におけるヘルムホルツ共鳴器おいて、背後層厚さ、多孔管厚さを変更した場合における吸音率の周波数特性を示す図である。
【図９】本発明に係る配管の実施形態の他の一例（実施例７）を示す概略図である。
【図１０】本発明に係る配管の実施形態の他の一例（実施例８）を示す概略図である。
【図１１】本発明に係る配管の実施形態の他の一例（実施例９）を示す概略図である。
【図１２】本発明に係る配管の製造方法の実施形態の一例（実施例７）を説明する図である。
【符号の説明】
【００５５】
１、６、８、１１、１６、１８  配管
２    ベローズ
３    孔
４    多孔管
５    支持部材
７    支持部材
９    整流部材
１０  整流部材
１２  円管
１３  孔
１４  多孔部
１５  円筒管
１７  分離壁
１９  連通孔
２０  分離壁
２１、２２、２３  リブ
【図１】
2006144557.tif 000004
【図２】
2006144557.tif 000005
【図３】
2006144557.tif 000006
【図４】
2006144557.tif 000007
【図５】
2006144557.tif 000008
【図６】
2006144557.tif 000009
【図７】
2006144557.tif 000010
【図８】
2006144557.tif 000011
【図９】
2006144557.tif 000012
【図１０】
2006144557.tif 000013
【図１１】
2006144557.tif 000014
【図１２】
2006144557.tif 000015